(57)【要約】【課題】自動料金支払いシステムのＩＣカードを用いて、有料道路の料金やイベント会場の入場料金等をセットにしたパークアンドライドシステムの管理サーバ及びそれで用いるＩＣカードを提供することを目的とする。【解決手段】ＩＣカードデータベースと、イベントの来場者が運転する車両に搭載された車載器がＩＣカードから読み取ったカード識別情報を近距離無線通信によって自動料金支払いシステムの路側アンテナから受信し、カード識別情報に基づいて、ＩＣカードデータベースを検索することで、来場者が有料道路の通行可能な否かの是非を決定し、イベント会場に設置された入場管理機がＩＣカードから読み取ったカード識別情報を受信し、カード識別情報に基づいて、ＩＣカードデータベースを検索することで、来場者がイベントに入場可能であるか否かの是非を決定する照合手段、とを有する管理サーバである。【選択図】  図１
2004355478.tif 000002
【特許請求の範囲】
【請求項１】
カード識別情報を記録し、自動料金支払いシステムで使用するＩＣカードを用いた、前記自動料金支払いシステムを利用する有料道路の通行を含むパークアンドライドシステムの管理サーバであって、
前記管理サーバは、
前記カード識別情報を記録しているＩＣカードデータベースと、
前記カード識別情報を、前記自動料金支払いシステムを介して、又は前記イベント会場に設置された入場管理機からネットワークを介して受信し、前記カード識別情報に基づいて前記ＩＣカードデータベースを検索することで、前記来場者が前記有料道路を通行可能か否か、或いは前記イベントへの入場可能であるか否かを決定する、照合手段と、を有しており、
前記カード識別情報は、
イベントへ申し込んだ来場者又は前記来場者が所持する前記ＩＣカードを識別する情報である、
ことを特徴とする管理サーバ。
【請求項２】
前記照合手段は、
前記イベントの来場者が運転する車両に搭載された車載器が前記ＩＣカードから読み取ったカード識別情報を近距離無線通信によって前記自動料金支払いシステムの路側アンテナから受信し、前記カード識別情報に基づいて、前記ＩＣカードデータベースを検索することで、前記来場者が有料道路を通行可能か否かの是非を決定し、前記イベント会場に設置された入場管理機が前記ＩＣカードから読み取った前記カード識別情報を受信し、前記カード識別情報に基づいて、前記ＩＣカードデータベースを検索することで、前記来場者が前記イベントに入場可能であるか否かの是非を決定する、
ことを特徴とする請求項１に記載の管理サーバ。
【請求項３】
前記照合手段は、
前記有料道路を通行可能であると決定した場合には、前記路側アンテナが存在する料金所のゲートバー、或いは前記ゲートバーを管理する管理装置に対して通行可能の指示を送信し、ゲートバーの解除措置を行わせる、
ことを特徴とする請求項１又は請求項２に記載の管理サーバ。
【請求項４】
前記管理サーバは、
前記来場者の駐車場スペースの予約を受け付け、前記カード識別情報に関連づけて前記来場者の駐車場スペースをその日付又は日時と共に駐車場データベースに記録する、
駐車場予約手段を有する
ことを特徴とする請求項１から請求項３のいずれかに記載の管理サーバ。
【請求項５】
前記照合手段は、
前記駐車場に設置されている駐車料金精算機が前記ＩＣカードから読み取ったカード識別情報を受信し、前記カード識別情報に駐車場が利用可能であるか否かが関連づけられているかを照合し、関連づけられている場合には、前記駐車料金精算機に対して入庫可能情報を送信し、関連づけられていない場合には前記駐車料金精算機に対して駐車料金未納の情報を送信する、
ことを特徴とする請求項１から請求項４のいずれかに記載の管理サーバ。
【請求項６】
前記駐車場予約手段は、
前記入庫可能情報を送信する際に、前記カード識別情報に基づいて前記駐車場データベースを検索し、前記来場者が予約している駐車スペースの情報を前記駐車料金精算機に送信し、前記駐車料金精算機で前記駐車スペースの位置を表示させる、
ことを特徴とする請求項１から請求項５のいずれかに記載の管理サーバ。
【請求項７】
前記管理サーバは、
前記カード識別情報に関連づけてプリペイド残高を記録しているプリペイド残高データベースと、
前記管理サーバとデータの送信が可能であって、前記イベント会場内の施設に設置された前記ＩＣカードを読み書き可能なプリペイドＲ／Ｗから、前記プリペイドＲ／Ｗが読み取った前記カード識別情報と決済金額とを受信し、前記プリペイド残高データベースから前記カード識別情報に関連づけられたプリペイド残高を抽出し、前記抽出したプリペイド残高から前記決済金額を減算し、その結果を新たなプリペイド残高として前記プリペイド残高データベースに記録する決済手段とを有する、
ことを特徴とする請求項１から請求項６のいずれかに記載の管理サーバ。
【請求項８】
前記管理サーバは、
前記ＩＣカードに更に記録されているアンケート情報に対する回答情報を、前記車載器から近距離無線通信により受信し、アンケートデータベースに記録するアンケート手段を更に有する、
ことを特徴とする請求項１から請求項７のいずれかに記載の管理サーバ。
【請求項９】
自動料金支払いシステムに於いて用いるＩＣカードであって、
イベント来場者の車両に設置された車載器、及びイベント会場に設置された入場管理機で読み書き可能であり、
前記来場者又は前記ＩＣカードを一意に識別するカード識別情報を記録している、
ことを特徴とするＩＣカード。
【請求項１０】
前記ＩＣカードは、
クレジットカード番号を更に記録している、
ことを特徴とする請求項９に記載のＩＣカード。
【請求項１１】
前記ＩＣカードは、
前記イベント会場までの有料道路、施設を識別する情報をルート情報として更に記録している、
ことを特徴とする請求項９又は請求項１０に記載のＩＣカード。
【請求項１２】
前記ルート情報には、
前記有料道路、施設の緯度及び経度情報が含まれている、
ことを特徴とする請求項１１に記載のＩＣカード。
【請求項１３】
前記ＩＣカードは、
前記ルート情報を前記車載器で読み取り、前記車載器とデータの送受信が可能なナビゲーション装置で、前記読み取ったルート情報に基づいて前記パッケージツアーのルート表示を行わせる、
ことを特徴とする請求項９から請求項１２のいずれかに記載のＩＣカード。
【請求項１４】
前記ＩＣカードは、
前記イベントに関するアンケート情報を更に記録している、
ことを特徴とする請求項９から請求項１３のいずれかに記載のＩＣカード。
【発明の詳細な説明】
【０００１】
【発明の属する技術分野】
本発明は、有料道路の料金の支払を自動的に行う自動料金支払いシステムで使用するＩＣカードを用いて、有料道路等の料金やイベント会場の入場料金等をセットにした、自動料金支払いシステムを利用する有料道路の通行を一経路として含むパークアンドライドシステムの管理サーバ及びＩＣカードに関する。
【０００２】
【従来の技術】
博覧会等のイベントへ来場する場合には、そのイベント会場まで自家用車や鉄道等の交通手段によって赴き、その入場券を購入することで入場が行える。従って来場者は、イベント会場の入場券とその交通手段とを別途支払っている。
【０００３】
又イベント会場への集客を目的として、鉄道会社やバス会社等と事業提携することによって、イベント会場への入場券と交通費とをセットにしたセット券を販売して集客を図る場合もある。
【０００４】
【特許文献１】
特願２００２−３１３７０５号公報
【特許文献２】
特願２００２−３１３７０９号公報
【特許文献３】
特願２００２−３１３８８０号公報
【特許文献４】
特願２００２−３１３８８３号公報
【特許文献５】
特願２００３−１５４３９６号公報
【０００５】
【非特許文献１】
財団法人道路システム高度化推進機構「ＥＴＣ（イーテック）便覧」道路システム高度化推進機構発行、平成１４年４月、ｐ．１０−４２
【０００６】
【発明が解決しようとする課題】
しかし、来場者にとっては、移動の交通手段を確保しておく為にも、イベント会場には自家用車で行けることが好ましいが、来場者はその住所が様々であり、又各人の自宅からイベント会場まで様々なルートを使うことが想定されることから、そのパターンが無数にあり、又当日の道路混雑状況等によってもそのルートが変更される場合があり、有料道路の料金を一律に換算できず、またそのような料金を算出するシステムも存在しないことから、このようなセット券を設けることが出来なかった。
【０００７】
一方、近年、有料道路の決済を速やかに行う為に、従来のように料金所で停車し料金所の支払を行うのではなく、車両に設置した車載器と料金所に設けられた路側アンテナとの間でデータの送受信を行うことでノンストップで料金決済を行う自動料金支払いシステム（自動料金支払いシステムとは、所謂ＥＴＣ（Ｅｌｅｃｔｏｒｏｎｉｃ  Ｔｏｌｌ  Ｃｏｌｌｅｃｔｉｏｎ  Ｓｙｓｔｅｍ。ＥＴＣは財団法人道路システム高度化推進機構の登録商標である）であって、上記の非特許文献１に詳しい）が存在している。このＥＴＣは、料金所等の決済場所に設けられた路側アンテナと、車両に設置されクレジットカードやプリペイドカードが挿入された車載器との間で近距離無線通信（近距離無線通信には、ＤＳＲＣ（Ｄｅｄｉｃａｔｅｄ  Ｓｈｏｒｔ  Ｒａｎｇｅ  Ｃｏｍｍｕｎｉｃａｔｉｏｎｓ。狭域データ通信）、無線ＬＡＮ、赤外線通信、ブルートゥース等が該当する）を用いてデータの送受信を行うことによって、クレジットカードやプリペイドカードの情報を路側アンテナに送信し通行料金の決済等を行うシステムである。尚、本明細書に於いて自動料金支払いシステムとは、近距離無線通信を用いて車載器と路側アンテナとの間のデータの送受信を行うことによって決済を行うシステムを指す。
【０００８】
しかし従来の自動料金支払いシステムを、イベント会場への自家用車での来場への決済手段として用いたとしても、単に有料道路の決済が行えるのみであって、別途イベント会場の入場券の購入等は行わなければならない。
【０００９】
又、イベント会場へ自家用車で来場する際には、それを駐車する必要がある。しかし、従来は駐車場が空くのを待つ必要があるので、その分、無駄な時間を費やしていることとなる。
【００１０】
【課題を解決するための手段】
そこで本願発明者らは、イベント会場へ車両（好ましくは自家用車）での来場を可能とし、且つその料金決済もセット料金として処理可能にする為のパークアンドライドシステムの管理サーバ及びそれで用いるＩＣカードを発明した。
【００１１】
更に上述の発明には、駐車場の予約機能を付加させることによって、イベント会場への自家用車での来場を促すことにも繋げることが可能となる。
【００１２】
請求項１の発明は、
カード識別情報を記録し、自動料金支払いシステムで使用するＩＣカードを用いた、前記自動料金支払いシステムを利用する有料道路の通行を含むパークアンドライドシステムの管理サーバであって、前記管理サーバは、前記カード識別情報を記録しているＩＣカードデータベースと、前記カード識別情報を、前記自動料金支払いシステムを介して、又は前記イベント会場に設置された入場管理機からネットワークを介して受信し、前記カード識別情報に基づいて前記ＩＣカードデータベースを検索することで、前記来場者が前記有料道路を通行可能か否か、或いは前記イベントへの入場可能であるか否かを決定する、照合手段と、を有しており、前記カード識別情報は、イベントへ申し込んだ来場者又は前記来場者が所持する前記ＩＣカードを識別する情報である、管理サーバである。
【００１３】
請求項２の発明は、
前記照合手段は、前記イベントの来場者が運転する車両に搭載された車載器が前記ＩＣカードから読み取ったカード識別情報を近距離無線通信によって前記自動料金支払いシステムの路側アンテナから受信し、前記カード識別情報に基づいて、前記ＩＣカードデータベースを検索することで、前記来場者が有料道路を通行可能か否かの是非を決定し、前記イベント会場に設置された入場管理機が前記ＩＣカードから読み取った前記カード識別情報を受信し、前記カード識別情報に基づいて、前記ＩＣカードデータベースを検索することで、前記来場者が前記イベントに入場可能であるか否かの是非を決定する、管理サーバである。
【００１４】
請求項３の発明は、
前記照合手段は、前記有料道路を通行可能であると決定した場合には、前記路側アンテナが存在する料金所のゲートバー、或いは前記ゲートバーを管理する管理装置に対して通行可能の指示を送信し、ゲートバーの解除措置を行わせる、管理サーバである。
【００１５】
請求項９の発明は、
自動料金支払いシステムに於いて用いるＩＣカードであって、イベント来場者の車両に設置された車載器、及びイベント会場に設置された入場管理機で読み書き可能であり、前記来場者又は前記ＩＣカードを一意に識別するカード識別情報を記録している、ＩＣカードである。
【００１６】
これらの発明によって、イベント来場の際に、従来のように鉄道やバス等の他に、来場者の自家用車による場合でもセット料金として販売することが可能となり、来場者は自家用車でイベント会場へ赴く際に、その有料道路の料金やイベント会場の料金を新たに支払うことなく、スムースにイベント会場へ到達することが可能となる。
【００１７】
請求項４の発明は、
前記管理サーバは、前記来場者の駐車場スペースの予約を受け付け、前記カード識別情報に関連づけて前記来場者の駐車場スペースをその日付又は日時と共に駐車場データベースに記録する、駐車場予約手段を有する管理サーバである。
【００１８】
請求項５の発明は、
前記照合手段は、前記駐車場に設置されている駐車料金精算機が前記ＩＣカードから読み取ったカード識別情報を受信し、前記カード識別情報に駐車場が利用可能であるか否かが関連づけられているかを照合し、関連づけられている場合には、前記駐車料金精算機に対して入庫可能情報を送信し、関連づけられていない場合には前記駐車料金精算機に対して駐車料金未納の情報を送信する、管理サーバである。
【００１９】
請求項６の発明は、
前記駐車場予約手段は、前記入庫可能情報を送信する際に、前記カード識別情報に基づいて前記駐車場データベースを検索し、前記来場者が予約している駐車スペースの情報を前記駐車料金精算機に送信し、前記駐車料金精算機で前記駐車スペースの位置を表示させる、管理サーバである。
【００２０】
イベント会場へ自家用車で赴く際に問題となるのが、その車両をどこに駐車するか、という点である。つまり自家用車でイベント会場へ赴くことが出来たとしても、その車両をすぐに駐車することが出来なければ駐車待ちの無駄な時間を費やすこととなり、逆に来場者の不満原因ともなる。しかしこれらの発明によって、駐車場に於ける駐車スペースの予約によって事前確保が可能となり、スムースに駐車可能となるので、このような来場者の不満が発生することもなく、又イベントへの自家用車での来場も効果をより一層発揮することとなる。
【００２１】
請求項７の発明は、
前記管理サーバは、前記カード識別情報に関連づけてプリペイド残高を記録しているプリペイド残高データベースと、前記管理サーバとデータの送信が可能であって、前記イベント会場内の施設に設置された前記ＩＣカードを読み書き可能なプリペイドＲ／Ｗから、前記プリペイドＲ／Ｗが読み取った前記カード識別情報と決済金額とを受信し、前記プリペイド残高データベースから前記カード識別情報に関連づけられたプリペイド残高を抽出し、前記抽出したプリペイド残高から前記決済金額を減算し、その結果を新たなプリペイド残高として前記プリペイド残高データベースに記録する決済手段とを有する、管理サーバである。
【００２２】
本発明によって、来場者がプリペイド残高として予め所定金額、或いは任意の金額を支払っておくことによって、イベント会場内で煩わしい金銭の授受をなくすことが可能となる。又イベントの来場セットとして販売する際にも、サービスとしてプリペイド残高を予め付与しておけば、当該セットへの特典となるが、このようなサービスも本発明によって可能となる。
【００２３】
請求項８の発明は、
前記管理サーバは、前記ＩＣカードに更に記録されているアンケート情報に対する回答情報を、前記車載器から近距離無線通信により受信し、アンケートデータベースに記録するアンケート手段を更に有する、管理サーバである。
【００２４】
請求項１４の発明は、
前記ＩＣカードは、前記イベントに関するアンケート情報を更に記録している、ＩＣカードである。
【００２５】
来場者は車両単位でイベントに来場しているので、これらの感想等のアンケートを行うことが困難である。しかし本発明のように、イベント終了後に、イベントに対するアンケートを行えば、フィードバックを得ることが可能となり、イベントの主催者等がイベントの改善等に繋げることが出来る。
【００２６】
請求項１０の発明は、
前記ＩＣカードは、クレジットカード番号を更に記録している、ＩＣカードである。
【００２７】
ＩＣカードには、プリペイドの他にクレジットカード機能を持たせても良い。クレジットカード機能によって、金額が大きい商品等もその与信力によって購入することが可能となる上に、キャッシュレスであるので、金銭授受の煩わしさからも開放されることとなる。
【００２８】
請求項１１の発明は、
前記ＩＣカードは、前記イベント会場までの有料道路、施設を識別する情報をルート情報として更に記録している、ＩＣカードである。
【００２９】
請求項１２の発明は、
前記ルート情報には、前記有料道路、施設の緯度及び経度情報が含まれている、ＩＣカードである。
【００３０】
請求項１３の発明は、
前記ＩＣカードは、前記ルート情報を前記車載器で読み取り、前記車載器とデータの送受信が可能なナビゲーション装置で、前記読み取ったルート情報に基づいて前記パッケージツアーのルート表示を行わせる、ＩＣカードである。
【００３１】
これらの発明によって、来場者が訪れるイベント会場までのルートを、来場者の車両の車載器やナビゲーション装置で表示することが可能となる。イベントに自らの車両で参加した場合、来場者自らがイベント会場を探す必要があるが、その地理には不案内であることが多いと考えられる。しかし、これらの発明によって、ルート表示が行われることから、来場者は自らの車両で地理に迷うことなく、イベント会場に到達することが可能となる。
【００３２】
【発明の実施の形態】
本発明の実施態様の一例を図１のシステム構成図に示す。パークアンドライドシステム１は、ネットワーク８を介して入場管理機７、駐車料金精算機６及び路側アンテナ５との間でデータの送受信が可能な管理サーバ２を有している。尚、本実施例に於いては、近距離無線通信の例としてＤＳＲＣの場合を説明するが、それ以外にも無線ＬＡＮや赤外線通信、ブルートゥース等であっても同様に実現可能である。又ＤＳＲＣを用いた場合には、路側アンテナ５と車載器４との間で自動的にデータの送受信を行うので、来場者の手を煩わすことなく、特に運転の妨げとなることなく、データの送受信が可能となる。
【００３３】
ＩＣカード３は、当該パークアンドライドシステム１の来場者又はＩＣカード３を一意に識別するカード識別情報を記録しているカードである。ＩＣカード３は、ＩＣカード基板を有しており、更にＩＣカード基板にはメモリとＣＰＵと端子及び／又はアンテナ（ＩＣカード３を接触式で読み書きする場合には端子を用い、非接触式の場合にはアンテナとなる）とからなるＩＣモジュールが組み込まれている。
【００３４】
ＩＣモジュールの中のメモリ領域は、ＲＡＭ、ＲＯＭ、ＥＥＰＲＯＭの３つのメモリ特性に区分されており、ＲＯＭ領域にはＩＣカード固有のプログラム、ＩＤ等が書き込まれている。ＲＡＭ領域にはカード識別情報を記録することが出来、これらを上書きするアプリケーションに対応することとなる。ＥＥＰＲＯＭは、ＩＣカード３のアプリケーション処理でのキャッシュメモリとして機能する。又、車載器４とのデータの送受信の際には、各々暗号化／復号化処理されて管理サーバ２との間での処理が為されることとなる。このようなハードウェアの記載は、毎回記載していなくても、当業者であれば容易に実施可能である。ＩＣカード３のハードウェア構成図を図７に示す。
【００３５】
路側アンテナ５は、車両に設置された車載器４との間でＤＳＲＣによりデータの送受信を行い、更に管理サーバ２との間をネットワーク８を介して車載器４との間で送受信する／送受信した情報を、送受信するアンテナである。路側アンテナ５は、道路上、道路沿い、その他車両の進入可能な場所、又はその近傍に設置されることが好適であり、図８及び図９にその一例を示す。図８は料金所に路側アンテナ５が設けられている場合であり、図９は道路上に路側アンテナ５が設けられている場合である。
【００３６】
路側アンテナ５は車載器４がＩＣカード３から読み取ったカード識別情報を受信し、自らの路側アンテナ５を識別する路側アンテナ識別情報と併せてネットワーク８を介して、それらを管理サーバ２に送信する。
【００３７】
車載器４は、ＩＣカード３からカード識別情報を読み取り、それらを路側アンテナ５に対してＤＳＲＣにより送信する装置である。車載器４にはディスプレイ画面が具備されていると好適であるが、なくても良い。
【００３８】
車載器４はＩＣカード３が挿入されると、車載器４のＩＣカードインターフェイス部を介してＩＣカード内のカード識別情報を読み出し、セキュリティモジュール部にて暗号化処理を行う。その後、ＥＴＣ処理部、制御処理部にて交信制御を行い、変復調部、送受信部、空中線部から路側アンテナ５に対して暗号化処理を行ったカード識別情報を送信する。路側アンテナ５は管理サーバ２と交信し、現在通行している有料道路を通行することが出来るか否かの照合を行い、通行許可となった場合には、料金を新たに支払うことなく、車両の通行を可能とする（具体的には料金所のゲートバーを、車両が通行可能なように操作する）。図１０に車載器４のハードウェア構成図を示す。
【００３９】
又車載器４のディスプレイ画面（ヒューマンマシンインターフェイス部）は、来場者に対して視覚的・聴覚的なメッセージを行う。つまり何らかの文字、画像、音声を表示、発生することによって来場者に対してメッセージを行う。ヒューマンマシンインターフェイス部が画面であっても良いし、スピーカー等であっても良い。又車載器４自らに備えられていなくても、車両に設置されているナビゲーション装置１８等の画面を利用して文字、画像、音声の表示、発生を行わせても良い。この場合にはナビゲーション装置１８とデータの送受信が可能なインターフェイス部から文字や画像、音声データをナビゲーション装置１８に対して送信し、それをナビゲーション装置１８が表示等する。更にナビゲーション装置１８で選択された情報は、当該インターフェイス部を介して受信され、それが路側アンテナ５を介して管理サーバ２に送信されても良い。
【００４０】
駐車料金精算機６は、来場者のＩＣカード３を接触又は非接触によって読み書きを行う装置であって、イベント会場の駐車場に設置されている料金精算機である。駐車料金精算機６は、ＩＣカード３からカード識別情報を読み取り、自らの駐車料金精算機６を識別する識別子と併せて、それをネットワーク８を介して管理サーバ２に対して送信する。管理サーバ２から駐車料金精算済みである旨を受信した場合には、駐車料金精算機６にその旨を表示し、駐車場からの出庫を可能にする。例えば駐車場のゲートバーを解除し、出庫可能とする。又駐車料金を前払いする、即ち入庫の際に支払う場合には、駐車場のゲートバーを解除し、入庫可能とする。この際に、駐車料金精算機６で、管理サーバ２から当該来場者が予約している駐車場の位置や駐車場の番号を表示し、駐車スペースまで容易に到達可能にすると良い。
【００４１】
入場管理機７は、来場者のＩＣカード３を接触又は非接触によって読み書きを行う装置であって、イベント会場の入場口に設置されている装置である。入場管理機７、ＩＣカード３からカード識別情報を読み取り、自らの入場管理機７を識別する情報と併せて、それをネットワーク８を介して管理サーバ２に対して送信する。管理サーバ２から当該ＩＣカード３が入場可能である旨の情報を受信した場合には、当該ＩＣカード３を有する来場者を入場可能とする。従って来場者は金銭を新たに支払うことなく、イベントに入場することが可能となる。
【００４２】
管理サーバ２は、照合手段９と駐車場予約手段１０とＩＣカードデータベース１１と駐車場データベース１２とを有している。照合手段９は、路側アンテナ５、入場管理機７、駐車料金精算機６からネットワーク８を介して受信したＩＣカード３に記録されているカード識別情報を、ＩＣカードデータベース１１に記録している情報と照合する。即ちＩＣカード３が正規のカードであるか、来場者として登録されているかを抽出し、有料道路の通行許可／不許可、イベント会場への入場許可／不許可、駐車場への入場許可／不許可等の結果を路側アンテナ５、入場管理機７、駐車料金精算機６に対して送信する。
【００４３】
即ち路側アンテナ５からこれらの情報を受信した場合には、まずカード識別情報に基づいてそのＩＣカード３が登録されているか否かをＩＣカードデータベース１１から照合する。この照合が正常に行えた場合には、当該ＩＣカード３で路側アンテナ５の通行が可能であるか否かの照合を行い、通行可能である場合には、当該路側アンテナ５に対して通行可能の指示を出し、ゲートバーの解除措置を取らせる。一方来場者の走行ルートが利用可能なルートを通行していない場合には、通行不可能であるので、当該路側アンテナ５に対して通行不許可の指示を出し、ゲートバーの阻止状態を維持する。
【００４４】
又入場管理機７からこれらの情報を受信した場合には、カード識別情報に基づいてそのＩＣカード３が登録されているカードであるか否かをＩＣカードデータベース１１から照合し、照合できた場合には当該来場者を入場可能とする。例えば入場ゲートを開放する、入場券の窓口で入場可能と表示し、入場券を来場者に渡す。
【００４５】
駐車料金精算機６からこれらの情報を受信した場合には、カード識別情報に基づいてそのＩＣカード３が登録されているカードであるか否かをＩＣカードデータベース１１から照合し、照合できた場合には当該来場者の車両を入庫可能、或いは出庫可能とする。例えば駐車場のゲートバーを解除し入庫／出庫可能とする。
【００４６】
駐車場予約手段１０は、イベントの申込時に、イベントへの来場を行う日時を指定することによって、その駐車スペースの予約を行う手段である。又当日、来場者が駐車料金精算機６で車両の入庫を行う場合に、ＩＣカード３に記録されているカード識別情報を駐車料金精算機６から照合手段９が受信し、カード識別情報に基づいてそのＩＣカード３が登録されているカードであるか否かをＩＣカードデータベース１１から照合し、照合手段９で照合できた場合には、駐車場予約手段１０が当該来場者がイベントへの申込時に予約した駐車スペースを駐車場から検索し、その駐車スペースをネットワーク８を介して駐車料金精算機６に送信する手段である。
【００４７】
ＩＣカードデータベース１１は、イベントへ申し込んだ来場者のカード識別情報を、その利用可能な有料道路、駐車場、店舗等の施設を識別する情報に関連づけて記録しているデータベースである。図１１（ａ）にＩＣカードデータベース１１の概念図を示す。
【００４８】
駐車場データベース１２は、来場者が予約した駐車場の駐車スペースを、日時（或いは日付）と共に、カード識別情報に関連づけて記録しているデータベースである。図１１（ｂ）に駐車場データベース１２の概念図を示す。
【００４９】
次に本発明のプロセスの流れの一例を図４のフローチャート図を用いて説明する。
【００５０】
まずイベントへ来場することを希望するものは、その申込を行う（Ｓ１００）。この申込は旅行代理店等に赴いて申し込んでも良いし、インターネット等によって申し込んでも良い。この申込の際には、来場者がいつ来場するか、そして駐車場スペースを何処に確保するかの駐車場の予約の入力を駐車場予約手段１０で併せて受け付ける（Ｓ１１０）。受け付けた駐車場の予約は、駐車場予約手段１０が、来場者に対して発行するＩＣカード３に記録されるカード識別情報に関連づけて駐車場データベース１２に記録する。この状態の駐車場データベース１２を、図１１（ｂ）に示す。
【００５１】
イベントへの来場申込を受け付けた旅行代理店等は、カード識別情報を記録したＩＣカード３を来場者に対して発行する（Ｓ１２０）。自動料金支払いシステムの車載器４を所持していない来場者に対しては、ＩＣカード３と併せて車載器４を貸与しても良い。又、イベント会場が遠方等であることから、自家用車で当該イベント会場へ来場しない場合には、来場者に対して車両の貸与を行っても良い。この場合、車両の貸与料金（レンタカーの料金）もイベントへの申込料金に含まれることとなる。このＩＣカード３の発行を行うのは、自動料金支払いシステムで用いられているＩＣカード３の発行事業体が行うと良い。
【００５２】
Ｓ１２０で発行されたＩＣカード３は、自動料金支払いシステムで用いることが可能なＩＣカード３であって、カード識別情報を車載器４から路側アンテナ５を介して管理サーバ２に送信させることで、有料道路の通行を可能とするＩＣカード３である。
【００５３】
ここで発行されるＩＣカード３の料金には、イベント会場の入場料金の他、有料道路の料金、店舗、宿泊施設、アミューズメント施設、ガソリンスタンド、サービスエリア、道の駅等での入場料金、宿泊料金、利用料金、土産物料金、当該車両の保険料金、ロードサービス料金、車両の貸与料金、航空機等の他の交通料金、イベント会場での駐車料金等が含まれていると良い。
【００５４】
来場者は、発行されたＩＣカード３を車両に設置した車載器４に読み取らせる。そして予め定められているルートで、車両でイベント会場へ向かう。有料道路の料金所を通過する際には、車載器４がＩＣカード３からカード識別情報を読み出し、ＤＳＲＣによってそれを路側アンテナ５に送信する。路側アンテナ５は車載器４からカード識別情報を受信すると、ネットワーク８を介して管理サーバ２に対してその情報を送信する。路側アンテナ５はこの際にどの路側アンテナ５から送信したかを識別する為の路側アンテナ識別情報を送信する。
【００５５】
路側アンテナ５からカード識別情報と路側アンテナ識別情報とを受信した管理サーバ２の照合手段９は、ＩＣカードデータベース１１を参照することによって、そのカード識別情報が登録されているか否かを照合する。
【００５６】
この照合が正常に行えた場合には、当該ＩＣカード３で路側アンテナ５の通行が可能であるか否かの照合を行い、通行可能である場合には、当該路側アンテナ５に対して通行可能の指示を出し、ゲートバーの解除措置を取らせる。一方来場者の走行ルートが利用可能なルートを通行していない場合には、通行不可能であるので、当該路側アンテナ５に対して通行不許可の指示を出し、ゲートバーの阻止状態を維持する。
【００５７】
例えば当該ＩＣカード３の来場者のカード識別情報には、東名高速道路のＸからＹのインターチェンジまで通行可能と設定されている場合、その路側アンテナ５がＸからＹのインターチェンジの間にあるか否かを判別すればよい。即ち路側アンテナ識別情報によってどの路側アンテナ５から受信したカード識別情報であるかを判別できるので、その路側アンテナ識別情報が対応する路側アンテナ５がＸインターチェンジからＹインターチェンジ間に存在していれば通行可能、存在していなければ通行不許可と判別する。
【００５８】
照合手段９が判別した結果、通行可能である場合には、当該路側アンテナ５が存在する料金所のゲートバー、或いはゲートバーを管理する管理装置（図示せず）に対して通行可能の指示を出し、ゲートバーの解除措置を執らせる。
【００５９】
一方、来場者が予め定められているルートを通行していない場合には（ＸインターチェンジからＹインターチェンジの間の路側アンテナ５ではない場合）、当該ＩＣカード３では通行不可であるので（このイベントに含まれた料金では通行不可の意味であり、物理的に車両が当該有料道路を通行できないことの意味ではない。従って別途料金所で料金を支払えば通行は可能である）、当該路側アンテナ５が存在する料金所のゲートバー、或いはゲートバーを管理する管理装置に対して通行不許可の指示を出し、ゲートバーの阻止状態を維持する。尚、この場合、車両は所謂ＥＴＣによるゲートを通過することは当然である。
【００６０】
このようにすることで、当該ＩＣカード３を有している来場者の車両に対しては、有料道路の料金の授受を介さずとも、車両の通行を可能せしめる（Ｓ１３０）。
【００６１】
又、来場者がイベント会場に到着し、予約した駐車スペースがある駐車場へ駐車を行う場合には、その駐車場に設置（好適には駐車場の入口に設置）されている駐車料金精算機６にＩＣカード３を読み取らせる。
【００６２】
駐車料金精算機６は、ＩＣカード３からカード識別情報を読み取り、自らの駐車料金精算機６を識別する識別子と併せて、それをネットワーク８を介して管理サーバ２に対して送信する。
【００６３】
管理サーバ２の照合手段９は、受信したカード識別情報がＩＣカードデータベース１１に記録されているか、更には当該カード識別情報を記録しているＩＣカード３を所持する来場者が駐車場を利用可能であるか否かを、ＩＣカードデータベース１１と照合する。即ちＩＣカードデータベース１１に当該カード識別情報が存在するか、存在する場合にはそのカード識別情報が利用可能な施設として駐車場が含まれているかを照合することとなる。
【００６４】
カード識別情報が記録されていない場合、或いは駐車場が利用不可能でありカード識別情報は記録されている場合には、その来場者は事前にセット料金として駐車料金を支払っていないので、駐車料金精算機６に対して駐車料金が未納である旨を送信し、それを受信した駐車料金精算機６は来場者に対して駐車料金の支払いを促すメッセージを出す。そして駐車料金が支払われたことによって、ゲートバーを解除する等によって入庫可能とする。
【００６５】
一方、カード識別情報が記録されており、更にそのカード識別情報に利用可能施設として駐車場が記録されている場合には、その来場者は事前にセット料金として駐車料金を支払っているので、駐車料金精算機６に対して駐車料金が既納である旨（即ち駐車料金精算済みである旨）を送信し、それを受信した駐車料金精算機６はその旨を表示し、駐車場のゲートバーを解除する等によって入庫可能とする。
【００６６】
更にこの場合、駐車場データベース１２を駐車場予約手段１０が、当該カード識別情報に基づいて検索することによって、当該カード識別情報の駐車スペースを抽出し、それを駐車料金精算機６に対して送信する。駐車スペースの情報を受信した駐車料金精算機６は、来場者に対して画面や音声等で駐車スペースの位置を案内する。特にイベントが大規模になるにつれて、駐車場の駐車スペース数が増加することが予想され、その駐車スペースを探すことも大変である。しかしこのような案内表示や案内音声によって、来場者は容易に自己の予約した駐車スペースに対して移動することが可能となる。
【００６７】
このように駐車スペースに車両を駐車した来場者は、ＩＣカード３を車載器４から排出し、イベントの入場口や入場券の引き換え窓口に於いてＩＣカード３を提示することで入場管理機７に読み取らせる。
【００６８】
入場管理機７は、来場者のＩＣカード３を接触又は非接触によって読み書きを行い、ＩＣカード３からカード識別情報を読み取り、自らの入場管理機７を識別する情報と併せて、それらをネットワーク８を介して管理サーバ２に対して送信する。
【００６９】
入場管理機７からカード識別情報と入場管理機７を識別する情報を受信した管理サーバ２の照合手段９は、カード識別情報に基づいてそのＩＣカード３が登録されているカードであるか否かをＩＣカードデータベース１１から照合し、照合できた場合には当該来場者を入場可能とする。例えば入場管理機７を識別する情報を有する入場管理機７のゲートに対して開放の指示を出す、入場券の引き換え窓口等で入場可能と表示し、入場券を来場者に渡す、等がある。
【００７０】
以上のようなプロセスを経ることによって、来場者は車両でイベント会場までセット料金で到達することが可能となり、又その駐車場も既に予約済みであることから、駐車場待ちの無駄な時間を省くことが可能となる。
【００７１】
【実施例２】
次に実施例１に加えて、更にＩＣカード３にクレジットカード情報を記録している場合を説明する。この場合のシステム構成図を図２に示す。このようにクレジットカード情報をＩＣカード３に更に記録しておくことによって、イベント会場内での決済をクレジットカードで行うことも可能とする。
【００７２】
管理サーバ２は、実施例１に加えて、ネットワーク８を介してクレジットカード会社システム１６、カードＲ／Ｗ１５との間でデータの送受信が可能である。
【００７３】
カードＲ／Ｗ１５は、イベント会場内の店舗等に設置されているＩＣカード３を読み書き可能な装置であり、ＩＣカード３から接触又は非接触によってクレジットカード番号を読み取る公知の装置である。読み取ったクレジットカード番号と決済の金額とを、ネットワーク８を介してクレジットカード会社システム１６に対して送信し、与信枠の照会をネットワーク８を介して行う。与信枠の照会の結果、当該クレジットカード番号に対して与信可能である場合には、その金額でのクレジットカード決済をクレジットカード会社システム１６に行わせ、与信照会の結果、限度額超過等のエラーを受信した場合には、クレジットカード決済が行えないので、その旨を表示する。
【００７４】
クレジットカード会社システム１６は、クレジットカード会社の公知のクレジットカード決済を行う為の装置であり、カードＲ／Ｗ１５からネットワーク８を介して与信照会を受信した場合には、当該クレジットカード番号に対して与信可能であるか否かを照会し、与信可能であるならばクレジットカード決済を行い、限度額超過、或いは使用停止等の情報が記録されている場合にはエラーとしてそれをカードＲ／Ｗ１５に対して送信する。
【００７５】
次に本実施例のプロセスの流れの一例を図５のフローチャート図と図２のシステム構成図とを用いて詳細に説明する。尚実施例１と同様の部分については説明のの簡略化の為、説明を省略する。
【００７６】
まずイベントへ来場することを希望するものは、その申込を行う（Ｓ２００）。この申込は旅行代理店等に赴いて申し込んでも良いし、インターネット等によって申し込んでも良い。この申込の際には、来場者がいつ来場するか、そして駐車場スペースを何処に確保するかの駐車場の予約の入力を駐車場予約手段１０で併せて受け付ける（Ｓ２１０）。受け付けた駐車場の予約は、駐車場予約手段１０が、来場者に対して発行するＩＣカード３に記録されるカード識別情報に関連づけて駐車場データベース１２に記録する。この状態の駐車場データベース１２を、図１１（ｂ）に示す。
【００７７】
イベントへの来場申込を受け付けた旅行代理店等は、カード識別情報とクレジットカード番号とを記録したＩＣカード３を来場者に対して発行する（Ｓ２２０）。自動料金支払いシステムの車載器４を所持していない来場者に対しては、ＩＣカード３と併せて車載器４を貸与しても良い。又このＩＣカード３の発行を行うのは、自動料金支払いシステムで用いられているＩＣカード３の発行事業体が行うと良い。又来場者に対して新たにクレジットカード会社に対してクレジットカードの申込を行わせることによって、クレジットカードの発行をクレジットカード会社から受け付け、そのクレジットカード番号を当該ＩＣカード３に記録する。
【００７８】
Ｓ２２０で発行されたＩＣカード３は、自動料金支払いシステムで用いることが可能なＩＣカード３であって、カード識別情報を車載器４から路側アンテナ５を介して管理サーバ２に送信させることで、有料道路の通行を可能とするＩＣカード３である。
【００７９】
ここで発行されるＩＣカード３の料金には、上述の実施例の場合と同様に、イベント会場の入場料金の他、有料道路の料金、店舗、宿泊施設、アミューズメント施設、ガソリンスタンド、サービスエリア、道の駅等での入場料金、宿泊料金、利用料金、土産物料金、当該車両の保険料金、ロードサービス料金、車両の貸与料金、航空機等の他の交通料金、イベント会場での駐車料金等が含まれていると良い。
【００８０】
Ｓ２３０からＳ２６０までは実施例１のＳ１３０からＳ１６０までと同様なのでその説明を省略する。
【００８１】
来場者がイベント会場の店舗、例えばイベントグッズショップで当該ＩＣカード３による決済（即ちＩＣカード３に記録されているクレジットカードによる決済）を行う場合には、その店舗でＩＣカード３を提示する（Ｓ２７０）。
【００８２】
ＩＣカード３の提示を受けたショップの店員は、カードＲ／Ｗ１５に当該ＩＣカード３を接触又は非接触によってクレジットカード番号を読み取らせる。
【００８３】
カードＲ／Ｗ１５は、読み取ったクレジットカード番号と決済の金額とを、ネットワーク８を介してクレジットカード会社システム１６に対して送信し、与信枠の照会を行う。
【００８４】
クレジットカード会社システム１６は、カードＲ／Ｗ１５からネットワーク８を介して与信照会を受信した場合には、当該クレジットカード番号に対して与信可能であるか否かを照会し、与信可能であるならば当該決済金額でその枠を確保することとなる。限度額超過、或いは使用停止等の情報が記録されている場合にはエラーとしてそれをカードＲ／Ｗ１５に対して送信する。
【００８５】
クレジットカード会社システム１６からエラーを受信した場合には、カードＲ／Ｗ１５はその旨を表示し、来場者に対してショップの店員等が伝えることによって、別の決済方法を依頼する。一方クレジットカード決済が行われたことを受信した場合には、カードＲ／Ｗ１５は、利用明細等を出力する（Ｓ２８０）。
【００８６】
このようにクレジットカード会社システム１６ではそのクレジットカードによる決済を認めることによって、従来のように当該ショップに於ける決済を所定の日付に来場者に対して行うこととなる。一方、来場者はＩＣカード３に付随したクレジットカード機能を利用することによって、別途金銭等を支払わずに決済が可能となる。
【００８７】
【実施例３】
更に本発明の他の実施態様としては、実施例２のようにクレジットカード決済ではなく、プリペイド決済を用いても良い。図３にその場合のシステム構成図を示す。
【００８８】
図３のシステム構成では、管理サーバ２は、実施例１のシステム構成に加えて、更に決済手段１３とプリペイド残高データベース１４とを有しており、更にカードＲ／Ｗ１５との間でデータの送受信が可能である。
【００８９】
プリペイドＲ／Ｗ１７は、イベント会場内の店舗等の設置されているＩＣカード３を読み書き可能な装置であり、ＩＣカード３から接触又は非接触によってカード識別情報を読み取る公知の装置である。読み取ったカード識別情報と決済金額とを管理サーバ２の決済手段１３に対して送信し、当該ＩＣカード３に関連づけて記録されているプリペイドの残高を減額させることで、プリペイドによる決済を行わせる装置である。
【００９０】
決済手段１３は、プリペイドＲ／Ｗ１７から受信したカード識別情報に基づいて、プリペイド残高データベース１４を検索し、当該カード識別情報のプリペイドの残高を決済金額で減額し、新たな残高として更新する手段である。例えば残高が５，０００円であり、決済金額が１，０００円である場合に、残高から１，０００円を減じ、新たな残高として４，０００円として記録する。
【００９１】
プリペイド残高データベース１４は、カード識別情報毎にプリペイド残高を記録しているデータベースである。図１１（ｃ）にプリペイド残高データベース１４の概念図を示す。
【００９２】
次に本実施例のプロセスの流れの一例を図６のフローチャート図と図３のシステム構成図とを用いて詳細に説明する。尚実施例１と同様の部分については説明のの簡略化の為、説明を省略する。
【００９３】
まずイベントへ来場することを希望するものは、その申込を行う（Ｓ３００）。この申込は旅行代理店等に赴いて申し込んでも良いし、インターネット等によって申し込んでも良い。この申込の際には、来場者がいつ来場するか、そして駐車場スペースを何処に確保するかの駐車場の予約の入力を駐車場予約手段１０で併せて受け付ける（Ｓ３１０）。受け付けた駐車場の予約は、駐車場予約手段１０が、来場者に対して発行するＩＣカード３に記録されるカード識別情報に関連づけて駐車場データベース１２に記録する。この状態の駐車場データベース１２を、図１１（ｂ）に示す。更にこの申込の際には、所定の金額或いは任意の金額、例えば１万円や３万円等を余分に支払うことによって、その金額をイベント会場内で支払うプリペイドの残高とする。即ち１万円や３万円の残高から、来場者が決済した金額が減額され、それが０になるまで決済可能となる。この残高は来場者に対して発行するＩＣカード３に記録されるカード識別情報に関連づけられてプリペイド残高データベース１４に記録される。
【００９４】
イベントへの来場申込を受け付けた旅行代理店等は、カード識別情報を記録したＩＣカード３を来場者に対して発行する（Ｓ３２０）。自動料金支払いシステムの車載器４を所持していない来場者に対しては、ＩＣカード３と併せて車載器４を貸与しても良い。又このＩＣカード３の発行を行うのは、自動料金支払いシステムで用いられているＩＣカード３の発行事業体が行うと良い。
【００９５】
Ｓ３２０で発行されたＩＣカード３は、自動料金支払いシステムで用いることが可能なＩＣカード３であって、カード識別情報を車載器４から路側アンテナ５を介して管理サーバ２に送信させることで、有料道路の通行を可能とするＩＣカード３である。
【００９６】
ここで発行されるＩＣカード３の料金には、上述の実施例の場合と同様に、イベント会場の入場料金の他、有料道路の料金、店舗、宿泊施設、アミューズメント施設、ガソリンスタンド、サービスエリア、道の駅等での入場料金、宿泊料金、利用料金、土産物料金、当該車両の保険料金、ロードサービス料金、車両の貸与料金、航空機等の他の交通料金、イベント会場での駐車料金等が含まれていると良い。
【００９７】
Ｓ３３０からＳ３６０までは実施例１のＳ１３０からＳ１６０まで、実施例２のＳ２３０からＳ２６０までと同様なのでその説明を省略する。
【００９８】
来場者がイベント会場の店舗、例えばイベントグッズショップで当該ＩＣカード３によるプリペイド決済を行う場合には、その店舗でＩＣカード３を提示する（Ｓ３７０）。
【００９９】
ＩＣカード３の提示を受けたショップの店員は、プリペイドＲ／Ｗ１７に当該ＩＣカード３を接触又は非接触によってカード識別情報を読み取らせる。
【０１００】
カードＲ／Ｗ１５は、読み取ったカード識別情報と決済の金額とを、ネットワーク８を介して管理サーバ２の決済手段１３に対して送信する。
【０１０１】
管理サーバ２の決済手段１３は、カードＲ／Ｗ１５からネットワーク８を介してカード識別情報と決済金額とを受信すると、受信したカード識別情報に基づいて、プリペイド残高データベース１４を検索し、当該カード識別情報のプリペイドの残高を抽出する。
【０１０２】
抽出したプリペイドの残高が決済金額以上である場合には、決済手段１３は、プリペイドの残高から決済金額を減額し、新たな残高としてプリペイドの残高を更新し、それをプリペイド残高データベース１４に記録する（Ｓ３８０）。又新たなプリペイドの残高を決済手段１３がネットワーク８を介してプリペイドＲ／Ｗ１７に対して送信し、プリペイドＲ／Ｗ１７では領収書や利用明細を出力する。
【０１０３】
又抽出したプリペイドの残高が決済金額未満である場合には、プリペイドによる全額の決済が行えないので、決済手段１３は、プリペイドの残高から決済金額を減額することで、新たな残高を０として更新し、それをプリペイド残高データベース１４に記録すると共に、不足金額をネットワーク８を介してプリペイドＲ／Ｗ１７に対して送信し、プリペイドＲ／Ｗ１７でその不足金額を表示することで、ショップの店員が来場者に対して不足金額の現金等の他の決済手段１３による決済を求める。
【０１０４】
このようにプリペイドによる決済を可能とすることによって、来場者は余計な金銭の支払いをなくすと共に、クレジットカードと異なり事前に金銭を支払っていることから、後のクレジットカードの支払に困ることもない。又イベントのセット料金として旅行代理店等から、予めインセンティブとして所定金額をサービスとして来場者に付与することも可能となるので、当該イベントに対する集客力も向上させることとなる。
【０１０５】
【実施例４】
実施例１から実施例３に於いて、更にＩＣカード３にイベント会場までのルート情報を記録しても良い。ここでルート情報とは、イベント会場の緯度経度情報を含むほか、その間に利用可能な施設、例えば宿泊施設やガソリンスタンド等の緯度経度情報を含んでいても良い。
【０１０６】
この場合、来場者の車両には、車載器４とデータの送受信が可能なナビゲーション装置１８が設けられていると良い。ナビゲーション装置１８とは、車両の現在の所在地を電子地図上で表示する、所謂カーナビゲーション装置１８であって、更に当該ＩＣカード３に記録されたルート情報を、直接或いは車載器４を介して読み出し、そのルート情報に従ってルート表示を行う。即ちルート情報に含まれる緯度経度情報でイベント会場までのルーティングを行い、ルート表示を行うこととなる。この場合のシステム構成図を図１２に示す。
【０１０７】
この場合には、イベント会場に向かう際に、来場者が車両の車載器４にＩＣカード３を読み取らせた際にルート情報を読み出し、車載器４が、ナビゲーション装置１８とのインターフェイス部を介して当該ルート情報をナビゲーション装置１８に送信し、ナビゲーション装置１８がルート情報に含まれる緯度及び経度に基づいて、ルーティングをし、その表示を行うこととなる。参加者はこのナビゲーション装置１８に表示されたルートに従って走行することによって、不慣れな土地であっても容易にイベント会場まで到達することが可能となる。
【０１０８】
【実施例５】
実施例１から実施例４に於いて、更にイベント終了後に、アンケートを来場者に対して行い、その回答を行った来場者に対して何らかのインセンティブの付与を行っても良い。この場合のシステム構成図を図１３に示す。
【０１０９】
この場合ＩＣカード３は、更に来場者に対して表示するアンケート情報を更に記録している。
【０１１０】
管理サーバ２はアンケート手段１９とアンケートデータベース２０とを更に有しており、アンケート手段１９は、来場者の車載器４から路側アンテナ５を介してアンケート結果である回答情報を受信し、アンケートデータベース２０に記録する手段である。
【０１１１】
アンケートデータベース２０は、アンケート手段１９で受信した回答情報を記録しているデータベースである。
【０１１２】
イベント終了後、車載器４はＩＣカード３からアンケート情報を読み出し、ヒューマンマシンインターフェイス部の画面にそれを表示する。又画面として車載器４ではなく、ナビゲーション装置１８を用いる場合には、ナビゲーション装置１８とのインターフェイス部を介してナビゲーション装置１８にアンケート情報を送信し、ナビゲーション装置１８の画面でその表示を行う。
【０１１３】
来場者は当該画面に表示されたアンケートから回答をボタンやタッチパネル等によって選択をすることによって、その回答情報を車載器４がＤＳＲＣを介して路側アンテナ５に対して送信する。この際に車載器４は回答情報に併せてカード識別情報も送信する。
【０１１４】
車載器４から回答情報、カード識別情報を受信した路側アンテナ５はそれをネットワーク８を介して管理サーバ２に対して送信する。管理サーバ２のアンケート手段１９は、それらを受信し、各カード識別情報に対するアンケートの回答として、アンケートデータベース２０に記録する。
【０１１５】
又アンケート手段１９は、回答情報を受信すると、路側アンテナ５を介して当該車載器４に挿入されているＩＣカード３に対してインセンティブ情報を送信し、路側アンテナ５からインセンティブ情報を受信した車載器４は、ＩＣカード３にインセンティブを記録する。このインセンティブは、次回以降の割引情報等が記録されていると良い。そしてこのＩＣカード３を次回、旅行代理店等で提示することによって、そのＩＣカード３に記録されたインセンティブを読み取り、割引サービスを享受することが可能となる。
【０１１６】
本発明に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【０１１７】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【０１１８】
この場合、記憶媒体から読み出されたプログラム自体が前記した実施態様の機能を実現することとなり、そのプログラムを記憶した記憶媒体は本発明を当然のことながら構成することになる。
【０１１９】
プログラムを供給する為の記憶媒体としては、例えば磁気ディスク、ハードディスク、光ディスク、光磁気ディスク、磁気テープ、不揮発性のメモリカード等を使用することができる。
【０１２０】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【０１２１】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【０１２２】
【発明の効果】
上述したように、自動料金支払いシステムで用いるＩＣカード３を利用することによって、イベント会場への車両での来場をセット料金として販売することが可能とすることが出来る。
【図面の簡単な説明】
【図１】本発明のシステム構成の一例を示すシステム構成図である。
【図２】本発明の他のシステム構成の一例を示すシステム構成図である。
【図３】本発明の他のシステム構成の一例を示すシステム構成図である。
【図４】本発明のプロセスの流れの一例を示すフローチャート図である。
【図５】本発明の他のプロセスの流れの一例を示すフローチャート図である。
【図６】本発明の他のプロセスの流れの一例を示すフローチャート図である。
【図７】ＩＣカードのハードウェア構成図である。
【図８】路側アンテナの一例である。
【図９】路側アンテナの他の一例である。
【図１０】車載器のハードウェア構成図である。
【図１１】データベース構造の概念図である。
【図１２】本発明の他のシステム構成の一例を示すシステム構成図である。
【図１３】本発明の他のシステム構成の一例を示すシステム構成図である。
【符号の説明】
１：パークアンドライドシステム
２：管理サーバ
３：ＩＣカード
４：車載器
５：路側アンテナ
６：駐車料金精算機
７：入場管理機
８：ネットワーク
９：照合手段
１０：駐車場予約手段
１１：ＩＣカードデータベース
１２：駐車場データベース
１３：決済手段
１４：プリペイド残高データベース
１５：カードＲ／Ｗ
１６：クレジットカード会社システム
１７：プリペイドＲ／Ｗ
１８：ナビゲーション装置
１９：アンケート手段
２０：アンケートデータベース
【図１】
2004355478.tif 000003
【図２】
2004355478.tif 000004
【図３】
2004355478.tif 000005
【図４】
2004355478.tif 000006
【図５】
2004355478.tif 000007
【図６】
2004355478.tif 000008
【図７】
2004355478.tif 000009
【図８】
2004355478.tif 000010
【図９】
2004355478.tif 000011
【図１０】
2004355478.tif 000012
【図１１】
2004355478.tif 000013
【図１２】
2004355478.tif 000014
【図１３】
2004355478.tif 000015